(57)【要約】  自動機械の切断ユニット（１）の予知保全の方法であって、この方法は、所定の周期で、切断要素（１０）と対向要素（１１）との間の接触に関連した、切断ユニット（１）の特性量の値（Ｖ）を判定し、特性量の値（Ｖ）の時間パターンを外挿するためのカーブ（１４）を決定し、このカーブ（１４）が所定の許容範囲の外側である場合に切断ユニット（１）の保全作業をプログラムする。
2007512151.tif 000002
【特許請求の範囲】
【請求項１】
自動機械の切断ユニットの予知保全の方法であって、
切断ユニット（１）が、切断要素（１０）と対向要素（１１）との間に供給される物品（２）を切断するために、対向要素（１１）と周期的に協働する少なくとも１つの切断要素（１０）を備え、
前記方法が、切断要素（１０）と対向要素（１１）との間の接触に関連した、切断ユニット（１）の特性量の値（Ｖ）を、所定の周期で判定することを備え、
前記方法が、特性量の値（Ｖ）の時間パターンを外挿するために、第１のカーブ（１４）を決定することにより特徴付けられ、
第１のカーブ（１４）が所定の許容範囲の外側である場合に切断ユニット（１）の保全作業をプログラムする、
自動機械の切断ユニットの予知保全の方法。
【請求項２】
前記特性量の値が、切断要素（１０）と対向要素（１１）との間の接触により発生するエネルギーである、請求項１に記載の方法。
【請求項３】
切断要素（１０）と対向要素（１１）との間の接触により発生する振動の時間パターンが決定され、切断要素（１０）と対向要素（１１）との間の接触により発生するエネルギーが、切断要素（１０）と対向要素（１１）との間の接触により発生する振動の関数として決定される、請求項２に記載の方法。
【請求項４】
前記特性量が、切断要素（１０）が対向要素（１１）に接触する、力、応力、圧力、衝撃、又は、加速度である、請求項１に記載の方法。
【請求項５】
前記特性量が、切断要素（１０）と対向要素（１１）との間の接触により発生する振動の測定値である、請求項１に記載の方法。
【請求項６】
第１のカーブ（１４）が、指数関数カーブである、請求項１から５のいずれか１項に記載の方法。
【請求項７】
前記許容範囲が、時間により変化し得る下限値を備える、請求項１から６のいずれか１項に記載の方法。
【請求項８】
前記許容範囲の下限値が、時間と共に増加する、請求項７に記載の方法。
【請求項９】
前記許容範囲の下限値が、第２のカーブ（１５）により定義される、請求項７又は請求項８に記載の方法。
【請求項１０】
第２のカーブ（１５）が、指数関数カーブである、請求項９に記載の方法。
【請求項１１】
第２のカーブ（１５）が、切断ユニット（１）の保全作業の直前に記録された特性量の値（Ｖ）の相対的な最小点の組を最適に内挿するカーブとして、経験的に決定される、請求項９又は請求項１０に記載の方法。
【請求項１２】
前記許容範囲が、時間により変化し得る上限値を備える、請求項１から１１のいずれか１項に記載の方法。
【請求項１３】
前記許容範囲の上限値が、時間と共に増加する、請求項１２に記載の方法。
【請求項１４】
前記許容範囲の上限値が、第３のカーブ（１６）により定義される、請求項１２又は請求項１３に記載の方法。
【請求項１５】
第３のカーブ（１６）が、指数関数カーブである、請求項１４に記載の方法。
【請求項１６】
第３のカーブ（１６）が、切断ユニット（１）の保全作業の直後に記録された特性量の値（Ｖ）の相対的な最大点の組を最適に内挿するカーブとして、経験的に決定される、請求項１４又は請求項１５に記載の方法。
【請求項１７】
特性量の値（Ｖ）が、第１の時間間隔の間に決定され、第２の時間間隔により与えられる周期を備える、請求項１から１６のいずれか１項に記載の方法。
【請求項１８】
第１の時間間隔がほぼ１０秒であり、第２の時間間隔がほぼ１０分である、請求項１７に記載の方法。
【請求項１９】
第１のカーブ（１４）が、切断ユニット（１）の以前の保全作業の後の特性量の値（Ｖ）のみを使用して決定される、請求項１から１８のいずれか１項に記載の方法。
【請求項２０】
切断ユニット（１）の保全作業の性能が、特性量の値（Ｖ）のパターンにおいて、階段状に示される、請求項１９に記載の方法。
【請求項２１】
切断ユニット（１）の保全作業の性能が、特性量の値（Ｖ）のパターンにおいて、所定の第１の閾値よりも大きな値の階段状に示される、請求項２０に記載の方法。
【請求項２２】
切断ユニット（１）の保全作業が、切断ユニット（１）の以前の保全作業以来の時間経過が所定の第２の閾値を超えた場合にのみ、実際にプログラムされる、請求項１から１８のいずれか１項に記載の方法。
【請求項２３】
前記第２の閾値が固定値である、請求項２２に記載の方法。
【請求項２４】
前記第２の閾値が可変である、請求項２２に記載の方法。
【請求項２５】
前記第２の閾値が、切断ユニット（１）の最後の保全作業と最後の１つ前の保全作業の間の時間経過の、所定の比率に等しい、請求項２４に記載の方法。
【請求項２６】
切断ユニット（１）が、多数の切断要素（１０）を支持する第１のドラム（３）と、第１のドラム（３）と協働し、多数の対向要素（１１）を支持する第２のドラム（７）とを備え、各切断要素（１０）が、使用中は、それぞれの対向要素（１１）と協働する、請求項１から２５のいずれか１項に記載の方法。
【請求項２７】
特性量の各値（Ｖ）が、ドラム（３、７）の少なくとも完全な１回転にわたる全体値として決定される、請求項２６に記載の方法。
【請求項２８】
ドラム（３、７）の完全な１回転の間に、各切断要素（１０）に対して、対応する特性量の中間値が決定され、特性量の値（Ｖ）が、前記中間値すべての平均値として決定される、請求項２６に記載の方法。
【請求項２９】
前記特性量の中間値が、いずれかの不一致を判断するために、相互に比較される、請求項２８に記載の方法。
【請求項３０】
切断要素（１０）が第１の刃により形成され、対向要素（１１）が、第２の刃により形成される、請求項１から２９のいずれか１項に記載の方法。
【請求項３１】
使用中に、第１と第２の刃（１０、１１）が、はさみのような切断をするために、一方が他方に平行して滑る、請求項３０に記載の方法。
【請求項３２】
使用中に、第１と第２の刃（１０、１１）が、はさみのような切断をするために、端と端を接して協働する、請求項３０に記載の方法。
【請求項３３】
切断ユニット（１）の保全作業が、切断要素（１０）の位置を対向要素（１１）に関して調整することを含み、制御ユニット（１３）は、第１のカーブ（１４）の関数として、対向要素（１１）に関する切断要素（１０）の位置の自動調整を行なう、請求項１から３２のいずれか１項に記載の方法。
【請求項３４】
制御ユニット（１３）が、保全作業を行なう場合に、第１のカーブ（１４）の値の関数として、対向要素（１１）に関する切断要素（１０）の位置の調整の値を決定する、請求項３３に記載の方法。
【請求項３５】
制御ユニット（１３）が、保全作業を行なう場合に、第１のカーブ（１４）の値の関数として、また、許容範囲に関して第１のカーブ（１４）の値の位置の関数として、対向要素（１１）に関する切断要素（１０）の位置の調整の値を決定する、請求項３４に記載の方法。
【請求項３６】
切断ユニット（１）の保全作業が、切断要素（１０）の位置を対向要素（１１）に関して調整することを含み、切断ユニット（１）の保全作業を行なう場合に、制御ユニット（１３）が、第１のカーブ（１４）の関数として、対向要素（１１）に関する切断要素（１０）の位置の調整の推奨値を決定する、請求項１から３２のいずれか１項に記載の方法。
【請求項３７】
制御ユニット（１３）が、保全作業を行なう場合に、第１のカーブ（１４）の値の関数として、対向要素（１１）に関する切断要素（１０）の位置の調整の推奨値を決定する、請求項３６に記載の方法。
【請求項３８】
制御ユニット（１３）が、保全作業を行なう場合に、第１のカーブ（１４）の値の関数として、また、許容範囲に関して第１のカーブ（１４）の値の位置の関数として、対向要素（１１）に関する切断要素（１０）の位置の調整の推奨値を決定する、請求項３７に記載の方法。
【請求項３９】
もし第１のカーブ（１４）が、切断ユニット（１）の保全作業の直後に、許容範囲の外側にあるならば、この状態が、切断要素（１０）が調整ではなくて、交換を必要とすることを意味する、請求項１から３８のいずれか１項に記載の方法。
【請求項４０】
もし第１のカーブ（１４）が、切断ユニット（１）の保全作業の直後に、許容範囲に接近しているならば、この状態が、切断要素（１０）が調整ではなくて、交換を必要とすることを意味する、請求項１から３８のいずれか１項に記載の方法。
【請求項４１】
前記許容範囲が、時間と共に増加し第２のカーブ（１５）により定義される下限値を有し、もし第１のカーブ（１４）が、切断ユニット（１）の保全作業の直後に、第２のカーブ（１５）に接近しているならば、この状態が、切断要素（１０）が調整ではなくて、交換を必要とすることを意味する、請求項４０に記載の方法。
【請求項４２】
切断ユニット（１）の特性量の値（Ｖ）を決定する場合に、切断ユニット（１）の環境及び運転条件の関数として、補償が行なわれる、請求項１から４１のいずれか１項に記載の方法。
【請求項４３】
切断ユニット（１）の特性量の値（Ｖ）を決定する場合に、切断ユニット（１）の運転温度の関数として、補償が行なわれる、請求項４２に記載の方法。
【請求項４４】
切断ユニット（１）の特性量の値（Ｖ）を決定する場合に、切断ユニット（１）の運転速度の関数として、補償が行なわれる、請求項４２に記載の方法。
【請求項４５】
切断ユニット（１）の機械要素のいかなる損傷も判定するために、及び、特性量の値（Ｖ）の変化が、切断要素（１０）の実際の磨耗により生じたのか、又は、切断ユニット（１）の機械要素の損傷により生じたのかを判定するために、切断ユニット（１）の様々な運転特性がチェックされる、請求項１から４４のいずれか１項に記載の方法。
【請求項４６】
予知保全パラメーターが、切断のための材料、及び切断要素の形態、又は形状、又は作用を、限定的でなく備え、切断ユニットの設計改善のために使用される、請求項１から４５のいずれか１項に記載の方法。
【発明の詳細な説明】
【技術分野】
【０００１】
本発明は、自動機械の切断ユニットの予知保全の方法に関する。
【背景技術】
【０００２】
自動機械は、連続した、リール供給のストリップを、個別に使用する部分に切断するために、しばしば切断ユニットを備える。
【０００３】
自動機械で使用される切断ユニットの１例は、特許文献１に説明されており、特許文献１は、コンベア供給のストリップを部分に切断する切断ユニットを説明している。切断ユニットは、ストリップの一面に平行な切断エッジをそれぞれ備えた多くの内側の刃と、これと対応する、内側の刃の切断エッジに関して傾斜した切断エッジをそれぞれ備えた外側の刃を備える。各内側の刃は、対応する外側の刃と同調して、切断ステーションを通るコンベアとともに動き、内側の刃は、コンベアを通って切断位置へ次第に動かされ、ストリップをはさみのように切るために、対応する外側の刃の傾斜した切断エッジと、次第に係合する。
【０００４】
【特許文献１】EP 0654329 B1
【特許文献２】US 4943341 A1
【０００５】
自動機械に使用される切断ユニットの他の例は、特許文献２に記載されており、特許文献２には、多数の刃が取り付けられた２つの切断ドラムによりストリップを連続して帯状に切断するための切断ユニットが記載されている。即ち、１つのドラム上の刃それぞれが、他のドラム上の刃とともに、ドラムが回転すると連続する点でストリップを切断するための一対のはさみを形成する。
【０００６】
自動機械に使用される切断ユニットの他の例は、特許文献２に記載されており、特許文献２には、高速フィルター取り付け機械上でフィルター付きたばこの帯を切断するための切断ユニットが記載されている。即ち、たばこの帯は２つの逆回転の切断ドラムにより連続してストリップから切断され、各ドラムには多数の均等に配置された刃が取り付けられている。１つのドラム上の各刃は、他のドラム上の刃とともに、ドラムが回転すると連続する点でストリップを切断する、はさみ手段を形成する。
【０００７】
上述のタイプの切断ユニットの定常運転の間、刃の相互接触は刃を磨耗させ、やがて効率を悪化させ、しだいに不良品の数を増加する結果となり、切断の問題により生じた機械の故障という結果となる。この理由のため、オペレーターは切断ユニットをあらかじめ決められた時間間隔で調整し、別にあらかじめ決められた時間間隔又はあらかじめ決められた調整回数の後は、切断ユニットは、オーバーホール作業のために取り外される。
【０００８】
しかし、上述の保全方法を使用した場合には、一般的に、不良品の数、及び機械が切断の問題により生じた故障を受ける程度が、依然として重大な問題となり、又は、切断ユニットの運転寿命が、設定された調整間隔の長さに依存して、特別に短い。調整間隔の最適な長さを判断することは、異なった切断ユニットの構造及び運転特性におけるばらつき及びドリフト特性のために、複雑であることが常に証明されてきた。更に、最適長さは、切断されるストリップの特性によって重大な影響を受け、従って、自動機械上で使用されるストリップが頻繁に変わる場合には、最適長さを判断することはほぼ不可能である。
【発明の開示】
【発明が解決しようとする課題】
【０００９】
本発明の目的は、前述の欠点を除去するように設計され、特に、安価で、実施が容易な、自動機械の切断ユニットの予知保全の方法を提供するものである。
【課題を解決するための手段】
【００１０】
本発明により、請求項１で請求されるように、また、好ましくは、請求項１に直接的に又は間接的に依存する従属請求項のいずれか１項で請求されるように、自動機械の切断ユニットの予知保全の方法が提供される。
【００１１】
本発明の多数の限定的でない実施例を、添付図面に関する実施例として以下に説明する。
【発明を実施するための最良の形態】
【００１２】
図１を参照すると、符号１は自動機械（図示せず）上の、紙のストリップ２を切断するための切断ユニットを全体として示す。即ち、紙のストリップ２はリール（図示せず）から巻きを解かれ、公知の供給装置（詳細は図示せず）によって切断ユニット１を通って供給され、一連の等しい長さの部分にカットされる。
【００１３】
切断ユニット１は、回転するために設置された軸４に取り付けられたドラム３を備え、使用中は駆動装置５により連続回転し、軸４は、２つの軸受６の間に置かれて、自動機械のフレームに取り付けられている。切断ユニット１はまた、ドラム３に面しドラム３に平行なドラム７を備え、回転するために設置された軸８に取り付けられ、使用中は駆動装置５により連続回転し、軸８は、２つの軸受９の間に置かれて、自動機械のフレームに取り付けられている。
【００１４】
ドラム３は、ドラム３の横方向表面上に均等に配置された多数の刃１０を支持し、同様に、ドラム７は、ドラム７の横方向表面上に均等に配置された多数の刃１１を支持する。使用する場合、紙のストリップ２は、ドラム３と７の間に供給され、ドラム３の上の１つの刃１０とドラム７の上の対応する刃１１との組み合わせ動作により、周期的に切断される。言い換えれば、ドラム３の上の各刃１０は、切断要素として作用し、ドラム７の上の対応する刃１１は、対向要素として作用する。
【００１５】
図示の実施例では、ドラム３の上の各刃１０及びドラム７の上の対応する刃１１は、端と端を接して協働してストリップをはさみ、図示しない別の実施例では、ドラム３の上の各刃１０及びドラム７の上の対応する刃１１は、一方を他方に平行して滑らせ、ストリップをはさみのように切断し、図示しない更なる実施例では、ドラム７は刃を有さず、ドラム７の横方向表面が、ドラム３の上の刃１０のための切断面として作用し、図示しない更なる実施例では、ドラム７は、ドラム３の上の刃１０のための固定した切断面により、置き換えられている。
【００１６】
ドラム７の軸受９には、軸受９の上の軸８により発生される振動を検出するために、それぞれセンサー１２が取り付けられ、センサーは、制御ユニット１３に接続される。更に、センサー１２は、ドラム３の軸受６にも取り付けられる。
【００１７】
実際に使用する場合には、制御ユニット１３は、刃１０と１１の間の接触によって発生される振動の時間パターンを判定し、刃１０と１１の間の接触によって発生される振動の時間パターンを処理することにより、刃１０と１１の間の接触によって発生されるエネルギーを推定する。好ましい実施例では、刃１０と１１の間の接触によって発生されるエネルギーは、切断ユニット１の保全をプログラムするための、切断ユニット１の特性量として使用される。
【００１８】
別の実施例では、切断ユニット１の保全をプログラムするための特性量は、刃１０が刃１１と接触する力であり、更なる別の実施例では、切断ユニット１の保全をプログラムするための特性量は、刃１０と１１の間の接触によって発生される振動の測定値であり、更なる実施例では、切断ユニット１の保全をプログラムするための特性量は、刃１０が刃１１に接触する応力、圧力、衝撃、又は、加速度である。
【００１９】
切断ユニット１の定常運転の間は、制御ユニット１３は、所定の周期で、例えば、切断ユニット１の運転１０分毎に１０秒の周期で、特性量の値Ｖを判定する。図２は時間をｘ軸に沿ってとり、特性量の値Ｖを時間の関数としてｙ軸に沿ってとったグラフを示す。図から分かるように、特性量の値Ｖは、切断ユニット１の保全作業の直後に記録された最大値と、切断ユニット１の保全作業の直前に記録された最小値との間で減少する、上下するパターンを有する。即ち、保全作業時点で、特性量の値Ｖは、階段状の増加をする。
【００２０】
切断ユニット１の最後の保全作業以来記録された一連の特性量の値Ｖを、公知の方法で、数学的に処理することにより、制御ユニット１３は、時間と共に減少する指数関数カーブ１４を決定し、特性量の値Ｖの時間パターンを外挿し、一旦カーブ１４が決定された場合には、制御ユニット１３は、カーブ１４が所定の許容範囲の外側に動く、切断ユニット１の次の保全作業の時点をプログラムする。
【００２１】
連続する特性量の値Ｖにおいて、切断ユニット１に実施されてきた保全作業の時点は、特性量の値Ｖのパターンの階段状部分（即ち、急激な変化）により示される。言い換えれば、切断ユニット１に実施された保全作業は、特性量の値Ｖのパターンにおいて、所定の閾値よりも大きな値の、階段で示される。
【００２２】
即ち、許容範囲は、時間と共に増加する指数関数カーブ１５により定義される、時間と共に変化する下限値を有し、指数関数カーブ１６により定義される時間と共に変化する上限値もまた時間と共に増加する。もしカーブ１４が、切断ユニット１の保全の直後に、カーブ１６より上か、又はカーブ１５より下ならば、この状態は、保全作業が適切に行われなかったか、又は、切断ユニット１の刃１０と１１が、保全（調整）ではなくて、交換の必要があることを意味する。言い換えれば、切断ユニット１の保全の直後の、カーブ１４と、カーブ１５及び１６との間の隔たりは、刃１０と１１がいつ調整ではなくて交換が必要かを示す。試験結果は、刃１０と１１がいつ調整ではなくて交換が必要かを示す最も重要なパラメーターが、切断ユニット１の保全の直後の、カーブ１４と、カーブ１５との間の隔たりであることを示す。
【００２３】
指数関数カーブ１５は、理論的又は経験的に決定することができる。即ち、カーブ１５は、切断ユニット１の保全の直前に記録された特性量の値Ｖの相対的な最小点の組を最適に内挿するカーブとして、経験的に決定される。言い換えれば、試験切断ユニット１の非常に長く連続した特性量の値Ｖが決定され、カーブ１５は、切断ユニット１の保全の直前に記録された特性量の値Ｖの相対的な最小点のみを考慮して決定される。
【００２４】
指数関数カーブ１５のように、指数関数カーブ１６もまた理論的又は経験的に決定できる。即ち、カーブ１６は、切断ユニット１の保全の直後に記録された特性量の値Ｖの相対的な最大点の組を最適に内挿するカーブとして、経験的に決定される。
【００２５】
好ましい実施例では、制御ユニット１３は、測定された特性量の値Ｖを環境条件の関数として補償する。即ち、制御ユニット１３は、切断ユニット１の運転温度を判定するために、公知の温度センサー（図示せず）に接続され、それに応じて測定された特性量の値Ｖを補償する。実際、機械的特性は等しい状態で、熱膨張の結果として、刃１０と１１の間の接触により発生するエネルギーもまた切断ユニット１の運転温度の増加と並ぶ構造特性の関数として増加又は減少する。制御ユニット１３はまた、測定された特性量の値Ｖを切断ユニット１の運転速度の関数として補償することができる。実際、機械的特性は等しい状態で、刃１０と１１の間の接触により発生するエネルギーもまた、切断ユニット１の運転速度の増加と並んで増加することが分かる。
【００２６】
制御ユニット１３は、切断ユニット１の機械的部分のどんな損傷も判定するために、リアルタイムで切断ユニット１の特定の運転特性を判定することが好ましい。例えば、制御ユニット１３は、ドラム３の軸受６とドラム７の軸受９の振動の最大値を判定することができ、軸受６と軸受９のどんな損傷も判定することができる。切断ユニット１の様々な運転特性を判定することは、制御ユニット１３が刃１０と１１の実際の磨耗により生じる特性量の値Ｖの変化と、切断ユニット１の機械部分の損傷により生じる特性量の値Ｖの変化との間の識別することを可能とすることにより、有用である。
【００２７】
上述の原理の実証として、試験結果は、カーブ１４が数少ない特性量の値Ｖに基づいて決定された場合には、その後の保全のプログラムにおいて、カーブ１４の信頼性が相対的に乏しいことを示す。即ち、平均保全間隔を１２８時間と仮定すると（各８時間の１６シフト）、カーブ１４が平均保全間隔の２５％（３２時間）以上記録された特性量の値Ｖに基づいて決定された場合には、試験結果は、その後の保全のプログラムエラーが約３３％であることを示し、カーブ１４が平均保全間隔の５０％（６４時間）以上記録された特性量の値Ｖに基づいて決定された場合には、その後の保全のプログラムエラーが約１８％であることを示し、カーブ１４が平均保全間隔の７５％（９６時間）以上記録された特性量の値Ｖに基づいて決定された場合には、その後の保全のプログラムエラーが約１６％であることを示し、カーブ１４が平均保全間隔の９０％（１１５時間）以上記録された特性量の値Ｖに基づいて決定された場合には、その後の保全のプログラムエラーが約６％であることを示す。
【００２８】
従って、その後の保全がプログラムされる精度は、切断ユニット１の以前の保全作業以来の時間経過に直接比例して増加するので、切断ユニット１の保全作業は、切断ユニット１の以前の保全作業以来の時間が所定の閾値を超えた場合にのみ、実際にプログラムされ、閾値は固定値でも変数でもよい。可変閾値は、切断ユニット１の最後の保全作業と最後の１つ前の保全作業の間の時間経過の所定の比率（例えば７５％から９０％）に等しいと仮定することができる。
【００２９】
前述のように、ドラム７の軸受９に取り付けられたセンサー１２から来る信号は、制御ユニット１３によって特性量の値Ｖを判定するのに使用される。１つの可能な実施例では、制御ユニット１３は、１枚の刃１０と対応する刃１１の各組の寄与に基づいて特性量の値Ｖの判定をするのではなくて、特性量の値Ｖは、ドラム３と７の少なくとも完全な１回転全体にわたる全体の値として判定される。言い換えれば、制御ユニット１３は、刃１０と、対応する刃１１の各組の個々の寄与を考慮することなく、ドラム３と７の少なくとも完全な１回転により発生する特性量の値Ｖの全体の値を判定する。
【００３０】
好ましい実施例では、ドラム３と７の完全な１回転以上によって、制御ユニット１３は、刃１０と対応する刃１１の各組に対して、対応する中間の特性量の値を判定し、特性量の値Ｖは、中間の特性量の値すべての平均値として決定される。中間の特性量の値は、いずれの不一致も判定するために、相互に（又は一定値の基準値と）比較することができる。即ち、もし刃１０と１１の１組の中間値が他の中間値と大幅に異なるならば、その１組の刃１０と１１は、恐らく調整が必要である。１つの刃１０と対応する刃１１の各組に対する、対応する中間の特性量の値を判定するために、普通、センサー９からの信号は、ドラム３又は７に取り付けられた少なくとも１つの角度センサー（図示せず）、普通はエンコーダー、からの信号と結び付けられなければならない。
【００３１】
切断ユニット１の保全作業は、普通、各刃１０の位置を各刃１１に関して調整するために、ドラム３の位置をドラム７に関して調整することを備える。１つの可能な実施例では、切断ユニット１に保全作業を実施する場合には、制御ユニット１３は、ドラム３の位置をドラム７に関して調整するための推奨値を、カーブ１４の関数、特に、保全が実施された時点のカーブ１４の値の関数として決定し、許容範囲に関してカーブ１４の値の位置の関数として決定する。
【００３２】
図示しない更なる実施例では、制御ユニット１３は、ドラム７に関するドラム３の位置の、カーブ１４の関数としての自動調整を行ない、特に、保全が実施された時点のカーブ１４の値の関数としての自動調整を行ない、許容範囲に関するカーブ１４の値の位置の関数としての自動調整を行なう。
【００３３】
上述の予知保全の方法により与えられた予知保全パラメーターは、切断のための材料、及び切断要素の形態、形状、又は作用を、限定的でなく備える、切断ユニット１の設計改善のために使用することができる。
【００３４】
上述の切断ユニット１は、どんなタイプの自動機械にも、例えば、たばこの製造のための自動フィルター取り付け機械、自動食物包装機械、及び一般にストリップの切断を含むどんな自動機械にも、使用することができる。
【図面の簡単な説明】
【００３５】
【図１】本発明による予知保全の方法が適用される、自動機械の切断ユニットの斜視図。
【図２】図１の切断ユニットの特性量の値の時間グラフ。
【図３】図２のグラフの一部分の処理を説明するグラフ。
【図１】
2007512151.tif 000003
【図２】
2007512151.tif 000004
【図３】
2007512151.tif 000005
【国際調査報告】
2007512151.tif 000006
2007512151.tif 000007
2007512151.tif 000008
2007512151.tif 000009